(57)【要約】【課題】操作ユニットの内部に発熱部品が組み込まれた弾球遊技機において、その発熱部品が過熱して十全に作動しなくなることに起因して遊技の興趣を向上させることができなくなる事態の発生を未然に防ぐ。【解決手段】弾球遊技機では、遊技演出に応じて操作される操作手段１２５を有する操作ユニット１２０が枠体に着脱自在に設けられている。操作ユニット１２０は、内部に発熱部品を有するとともに、操作ユニット１２０の内外を連通する通気口が設けられている。枠体には、発熱部品で発生した熱が操作ユニット１２０内から通気口を介して放熱される放熱空間が形成されている。【選択図】図５
2014230561.tif 000002
【特許請求の範囲】
【請求項１】
遊技演出に応じて操作される操作手段を有する操作ユニットが枠体に着脱自在に設けられた弾球遊技機であって、
前記操作ユニットは、内部に発熱部品を有するとともに、当該操作ユニットの内外を連通する通気口が設けられ、
前記枠体には、前記発熱部品で発生した熱が前記操作ユニット内から前記通気口を介して放熱される放熱空間が形成されていることを特徴とする弾球遊技機。
【発明の詳細な説明】
【技術分野】
【０００１】
本発明は、弾球遊技機に関し、特に、遊技演出に応じて操作される操作手段を有する操作ユニットが枠体に着脱自在に設けられた弾球遊技機に関する。
【背景技術】
【０００２】
従来、パチンコ遊技機等の弾球遊技機の中には、遊技演出に応じて操作される演出ボタンなどの操作手段が枠体に設けられたものがある（例えば、特許文献１参照）。
【０００３】
このような弾球遊技機においては、操作手段を取扱いやすくするとともに、操作手段の見栄えを良くして遊技の興趣を向上させることを目的として、操作手段をユニット化して操作ユニットとし、その内部に駆動部品及び電動モーターを組み込み、電動モーターで駆動部品を駆動することが考えられる。
【先行技術文献】
【特許文献】
【０００４】
【特許文献１】特開２０１３−５９６９１号公報
【発明の概要】
【発明が解決しようとする課題】
【０００５】
しかしながら、操作ユニットの内部に電動モーターが組み込まれた場合には、この電動モーターが、その使用（駆動部品の駆動）に伴って発熱する発熱部品になる。したがって、この発熱部品（電動モーター）を長時間にわたって使用すると、操作手段をユニット化したがゆえに、発熱部品で発生した熱が操作ユニットの内部に蓄積し、発熱部品が過熱して十全に作動しなくなる。その結果、駆動部品が適正に駆動されなくなり、ひいては遊技の興趣を向上させることができなくなる恐れがある。
【０００６】
本発明は、このような事情に鑑みてなされたものであり、操作ユニットの内部に発熱部品が組み込まれた弾球遊技機において、その発熱部品が過熱して十全に作動しなくなることに起因して遊技の興趣を向上させることができなくなる事態の発生を未然に防ぐことが可能な弾球遊技機を提供することを目的とする。
【課題を解決するための手段】
【０００７】
かかる課題を解決するために、本発明の請求項１に記載の発明は、遊技演出に応じて操作される操作手段を有する操作ユニットが枠体に着脱自在に設けられた弾球遊技機であって、前記操作ユニットは、内部に発熱部品を有するとともに、当該操作ユニットの内外を連通する通気口が設けられ、前記枠体には、前記発熱部品で発生した熱が前記操作ユニット内から前記通気口を介して放熱される放熱空間が形成されている弾球遊技機としたことを特徴とする。
【０００８】
請求項１に係る発明によれば、発熱部品で発生した熱は、操作ユニットの内部から通気口を介して操作ユニットの外部に至った後、枠体の放熱空間で放熱される。その結果、操作ユニットの内部に発熱部品が組み込まれた弾球遊技機において、その発熱部品が過熱して十全に作動しなくなることに起因して遊技の興趣を向上させることができなくなる事態の発生を未然に防ぐことができる。
【図面の簡単な説明】
【０００９】
【図１】本発明の実施の形態におけるパチンコ遊技機の正面図である。
【図２】同パチンコ遊技機の窓枠を開けて遊技盤を取り外した状態の右斜視図である。
【図３】同パチンコ遊技機の押ボタンを取り外した状態の上皿ユニットの斜視図である。
【図４】同パチンコ遊技機の押ボタンを取り付けた状態の上皿ユニットの斜視図である。
【図５】同パチンコ遊技機の押ボタンを取り付けた状態の上皿ユニットの縦断面図である。
【図６】同パチンコ遊技機の押ボタンの正面図である。
【図７】同押ボタンの背面図である。
【図８】同押ボタンの左側面図である。
【図９】同押ボタンのドラム及び電動モーターを示す斜視図である。
【発明を実施するための形態】
【００１０】
以下、本発明の実施の形態における弾球遊技機として、パチンコ遊技機を例にして図面を参照しながら説明する。
【００１１】
まず、本実施の形態のパチンコ遊技機の概略構成について説明する。図１及び図２に示すように、本実施の形態のパチンコ遊技機１は、主として、パチンコホール等の遊技場に設けられた台島に設置される外枠２と、外枠２に対して開閉可能に取り付けられた中枠３と、中枠３に対して開閉可能に取り付けられた長方形枠状の枠体としての窓枠４とにより構成されている。また、中枠３には、後述する上皿１１０から溢れた遊技球（パチンコ球）が貯留される下皿１０及び低音用のスピーカ１１を有する下皿ユニット５と、遊技球が転動する領域である遊技領域を有する遊技盤６と、遊技球を遊技盤６の遊技領域へ向けて発射する発射装置１２と、発射装置１２の発射勢（遊技球の飛距離）を調整するために遊技者が操作する操作ハンドル１３と、貸出ボタン７及び返却ボタン８を有する球貸操作部１４と、払い出し用の遊技球を貯留する賞球払出装置１６とが取り付けられている。さらに、窓枠４には、高音用の左右一対のスピーカ９と、賞球払出装置１６からから払い出された遊技球を一時的に貯留して発射装置１２に導く上皿１１０並びに操作ユニットとしての押ボタン１２０及び十字キー１５０を筐体１４０上に具備する上皿ユニット１００とが配設されている。
【００１２】
次に、押ボタン１２０の構成及びその取付状態について詳細に説明する。
【００１３】
すなわち、押ボタン１２０は、図６〜図８に示すように、略六角形板状の台座１２３と、略六角形枠状のケーシング１２４と、遊技演出に応じて遊技者が操作可能な操作手段としての略紡錘形の透明なボタン本体１２５とが、上下方向（矢印Ａ、Ｂ方向）に組み付けられて構成されている。ここで、台座１２３の上側にはケーシング１２４が、複数のねじ（図示せず）で止め付けられている。また、ケーシング１２４の上側にはボタン本体１２５が、所定のストロークで上下方向（矢印Ａ、Ｂ方向）に昇降自在に組み付けられている。さらに、台座１２３とボタン本体１２５との間には、左右一対のコイルスプリング（図示せず）が、上下方向（矢印Ａ、Ｂ方向）に伸縮するように設けられている。
【００１４】
ここで、押ボタン１２０は、図５〜図９に示すように、その内部に発熱部品としての電動モーター１２９を有するとともに、押ボタン１２０の内外を連通する通気口１３０が設けられている。すなわち、ケーシング１２４には、図５及び図９に示すように、ブラケット１３１を介して円筒状のドラム１２８が回転自在に支持されているとともに、電動モーター１２９が取り付けられており、電動モーター１２９に通電することにより、ドラム１２８を回転させることができるように構成されている。このドラム１２８の周面には、遊技者に押ボタン１２０を押すように促すメッセージなどが記載されている。また、ケーシング１２４には、図６〜図８に示すように、くし形の２つの通気口１３０が押ボタン１２０の内外を連通するように形成されている。さらに、台座１２３の底面には、略三角柱フレーム状の補強リブ１３２が一体に形成されている。
【００１５】
そして、この押ボタン１２０は、図８に示すように、その上下方向（矢印Ａ、Ｂ方向）が、遊技盤６にほぼ平行な鉛直面Ｐに対して所定の角度θ（例えば、θ＝２０〜３０°）だけ遊技者側（図８右側）に前傾した状態で、図３及び図４に示すように、上皿１１０の前方、つまり遊技者側（図４右下側）の筐体１４０部分に着脱自在に取り付けられている。
【００１６】
なお、押ボタン１２０が上皿ユニット１００の筐体１４０に取り付けられた状態では、図５に示すように、ケーシング１２４のフランジ部１２４ａが筐体１４０の上面１４０ａに係止し、台座１２３及びケーシング１２４（そのフランジ部１２４ａを除く）が筐体１４０内にはまり込んで埋没しているとともに、ボタン本体１２５が筐体１４０の上面１４０ａから上方（矢印Ａ方向）に突出し、さらに、台座１２３は、補強リブ１３２が筐体１４０の底面１４０ｂに接触した状態で筐体１４０にねじ止めされている。
【００１７】
また、窓枠４には、図１〜図３に示すように、この窓枠４の形状（長方形枠状）に沿う広大な放熱空間Ｓ１が、押ボタン１２０の筐体１４０の内部空間Ｓ２に連通するように形成されている。
【００１８】
このような構成のパチンコ遊技機１において、遊技者が遊技を行っている途中で、遊技演出に応じて遊技者に押ボタン１２０を押すように促す際には、パチンコ遊技機１は、電動モーター１２９に通電してドラム１２８を回転させるように制御する。すると、押ボタン１２０内でドラム１２８が回転し、その周面に記載されたメッセージが、透明なボタン本体１２５を通して遊技者の目に入る。そのため、遊技者は、タイミングを逃すことなく押ボタン１２０のボタン本体１２５を押し下げることが可能となる。
【００１９】
このとき、ドラム１２８を回転させる電動モーター１２９の使用に伴って、電動モーター１２９が発熱する。しかし、上述したとおり、押ボタン１２０のケーシング１２４に通気口１３０が押ボタン１２０の内外を連通するように形成されているとともに、窓枠４に放熱空間Ｓ１が押ボタン１２０の筐体１４０の内部空間Ｓ２に連通するように形成されている。そのため、押ボタン１２０がユニット化されていても、電動モーター１２９で発生した熱は、押ボタン１２０の内部に蓄積することなく、押ボタン１２０の内部から通気口１３０を介して押ボタン１２０の外部、つまり、筐体１４０の内部空間Ｓ２に排出された後、窓枠４の広大な放熱空間Ｓ１で放熱される。したがって、電動モーター１２９を長時間にわたって使用してドラム１２８を回転させても、電動モーター１２９が過熱する事態は生じないので、電動モーター１２９は十全に作動し続け、ドラム１２８は適正に回転駆動され続ける。その結果、遊技の興趣を向上させることが可能となる。特に、押ボタン１２０の大型化に伴って電動モーター１２９が大型化した場合には、一般に電動モーター１２９の発熱量が増大するため、こうした効果は一層重要なものとなる。
【００２０】
以上のように、本実施の形態のパチンコ遊技機（弾球遊技機）１は、遊技演出に応じて操作されるボタン本体（操作手段）１２５を有する押ボタン（操作ユニット）１２０が窓枠（枠体）４に着脱自在に設けられたパチンコ遊技機（弾球遊技機）１であって、前記押ボタン（操作ユニット）１２０は、内部に電動モーター（発熱部品）１２９を有するとともに、当該押ボタン（操作ユニット）１２０の内外を連通する通気口１３０が設けられ、前記窓枠（枠体）４には、前記電動モーター（発熱部品）１２９で発生した熱が前記押ボタン（操作ユニット）１２０内から前記通気口１３０を介して放熱される放熱空間Ｓ１が形成されているパチンコ遊技機（弾球遊技機）１としたことを特徴とする。
【００２１】
そして、本実施の形態によれば、電動モーター（発熱部品）１２９で発生した熱は、押ボタン（操作ユニット）１２０の内部から通気口１３０を介して押ボタン（操作ユニット）１２０の外部に至った後、窓枠（枠体）４の放熱空間Ｓ１で放熱される。その結果、押ボタン（操作ユニット）１２０の内部に電動モーター（発熱部品）１２９が組み込まれたパチンコ遊技機（弾球遊技機）１において、その電動モーター（発熱部品）１２９が過熱して十全に作動しなくなることに起因して遊技の興趣を向上させることができなくなる事態の発生を未然に防ぐことができる。
【００２２】
また、本実施の形態によれば、押ボタン１２０が窓枠４に着脱自在に設けられているので、押ボタン１２０が故障した場合や経年劣化した場合に、押ボタン１２０を窓枠４から取り外して容易に交換・修理することができる。その結果、電動モーター１２９で駆動するドラム１２８を押ボタン１２０内に組み込んだために押ボタン１２０が故障しやすくなったとしても、押ボタン１２０の取扱いが容易になり、パチンコ遊技機１の組立作業のみならずメンテナンス作業をも効率良く行うことができる。
【００２３】
さらに、押ボタン１２０は、上述したとおり、上皿ユニット１００の筐体１４０に取り付けられた状態では、台座１２３が筐体１４０にねじ止めされて補強リブ１３２が筐体１４０の底面１４０ｂに接触している。したがって、この押ボタン１２０では、補強リブ１３２がボタン本体１２５の押下方向（矢印Ｂ方向）の力に対抗することができるので、強度を確保することができる。その結果、遊技者が遊技演出に興奮してボタン本体１２５を強く押し下げたとしても、押ボタン１２０が損傷する心配はない。
【００２４】
また、押ボタン１２０は、上述したとおり、所定の角度θだけ遊技者側に前傾した形で上皿ユニット１００の筐体１４０に取り付けられているので、押しやすい。そのため、押ボタン１２０が前傾していない場合に比べて、遊技の興趣を高めることができる。
【００２５】
なお、以上説明した実施の形態は、本発明の理解を容易にするために記載されたものであって、本発明を限定するために記載されたものではない。
【００２６】
例えば、前記した実施の形態では、パチンコ遊技機を用いて説明したが、これに限るものではなく、本発明は、雀球遊技機やアレンジボール等の他の弾球遊技機にも適用可能である。
【００２７】
また、前記した実施の形態では、くし形の２つの通気口１３０が押ボタン１２０のケーシング１２４に形成された場合について説明した。しかし、本発明では、この通気口１３０は、押ボタン１２０の内外を連通する限り、くし形以外の形状に形成してもよく、また、押ボタン１２０の他の部位（例えば、台座１２３）に設けてもよく、さらに、通気口１３０の個数を１つ、或いは３つ以上にしても構わない。
【００２８】
また、前記した実施の形態では、枠体として窓枠４を有する場合について説明したが、本発明はこれに限るものではなく、窓枠４以外の枠体を有する場合にも適用可能である。
【００２９】
また、前記した実施の形態では、押ボタン１２０の内部に発熱部品として電動モーター１２９を有する場合について説明したが、本発明はこれに限るものではなく、押ボタン１２０の内部に電動モーター１２９以外の発熱部品を有する場合にも適用可能である。
【００３０】
さらに、前記した実施の形態では、操作ユニット及び操作手段としてそれぞれ押ボタン１２０及びボタン本体１２５を有する場合について説明したが、本発明はこれに限るものではなく、押ボタン１２０以外の操作ユニットや、ボタン本体１２５以外の操作手段を有する場合にも適用可能である。
【符号の説明】
【００３１】
１…パチンコ遊技機（弾球遊技機）、４…窓枠（枠体）、１２０…押ボタン（操作ユニット）、１２５…ボタン本体（操作手段）、１２９…電動モーター（発熱部品）、１３０…通気口、Ｓ１…放熱空間
【図１】
2014230561.tif 000003
【図２】
2014230561.tif 000004
【図３】
2014230561.tif 000005
【図４】
2014230561.tif 000006
【図５】
2014230561.tif 000007
【図６】
2014230561.tif 000008
【図７】
2014230561.tif 000009
【図８】
2014230561.tif 000010
【図９】
2014230561.tif 000011